(57)【要約】      （修正有）【課題】無線アクセス技術（ＲＡＴｓ）間のベアラを切り替えるためのディスジョイントベアラルーティングおよび装置を提供する。【解決手段】ベアラのアップリンクの部分は１つのＲＡＴによってサーブされることがあり、一方、ベアラのダウンリンクの部分は、別のＲＡＴによってサーブされる。ベアラの一部は、１つより多いＲＡＴによってサーブされる。ＲＡＴｓを相異させることによってサーブされる部分とベアラを介して通信する。【選択図】図７
2019083533.tif 000002
【特許請求の範囲】
【請求項１】
１つまたは複数のデータベアラを介してユーザ機器（ＵＥ）とのデータ接続を確立することと、
第１の無線アクセス技術（ＲＡＴ）または第２のＲＡＴを介して前記ＵＥから各データベアラのためのアップリンクトラヒックをルーティングするかどうかの第１の決定を行うことと、
前記第１のＲＡＴまたは前記第２のＲＡＴを介して前記ＵＥへ各データベアラのためのダウンリンクトラヒックをルーティングするかどうかの第２の決定を行うことと、
前記第１および第２の決定に基づいて前記データ接続に参加することと
を備える、基地局（ＢＳ）によるワイヤレス通信のための方法。
【請求項２】
前記第１の決定は、前記第１のＲＡＴを介してすべてのデータベアラのアップリンクトラヒックを送るという決定を備える、請求項１に記載の方法。
【請求項３】
前記第２の決定は、前記第１のＲＡＴおよび前記第２のＲＡＴの両方を介して１つまたは複数のデータベアラのダウンリンクトラヒックを送るという決定を備える、請求項２に記載の方法。
【請求項４】
前記第１のＲＡＴはワイヤレス広域ネットワーク（ＷＷＡＮ）を備え、前記第２のＲＡＴはワイヤレスローカルエリアネットワーク（ＷＬＡＮ）を備える、請求項３に記載の方法。
【請求項５】
前記第２の決定は、前記第１のＲＡＴおよび前記第２のＲＡＴを介してベアラのためのダウンリンクトラヒックを送るという決定を備える、請求項１に記載の方法。
【請求項６】
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
請求項１に記載の方法。
【請求項７】
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、請求項１に記載の方法。
【請求項８】
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、請求項１に記載の方法。
【請求項９】
前記第１および第２の決定のうちの少なくとも１つを示す無線リソース制御（ＲＲＣ）メッセージを供給することをさらに備える、請求項１に記載の方法。
【請求項１０】
１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、前記第１のＲＡＴと前記第２のＲＡＴを介してルーティングするために独立して構成され、
前記受信された構成に応答して構成完了メッセージを送ることと
を備える、ワイヤレス通信のための方法。
【請求項１１】
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
をさらに備える、請求項１０に記載の方法。
【請求項１２】
前記第１のＲＡＴはＷＷＡＮを備える、請求項１１に記載の方法。
【請求項１３】
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
請求項１０に記載の方法。
【請求項１４】
前記受信された構成は、無線リソース制御（ＲＲＣ）メッセージにおいて受信される、請求項１０に記載の方法。
【請求項１５】
チャネル状態報告を送ることをさらに備え、ここにおいて、前記受信された構成は、前記チャネル状態報告に基づく、請求項１０に記載の方法。
【請求項１６】
１つまたは複数のデータベアラを介してユーザ機器（ＵＥ）とのデータ接続を確立することと、
第１の無線アクセス技術（ＲＡＴ）または第２のＲＡＴを介して前記ＵＥから各データベアラのためのアップリンクトラヒックをルーティングするかどうかの第１の決定を行うことと、
前記第１のＲＡＴまたは前記第２のＲＡＴを介して前記ＵＥへ各データベアラのためのダウンリンクトラヒックをルーティングするかどうかの第２の決定を行うことと、
前記第１および第２の決定に基づいて前記データ接続に参加することと
を行うように構成されたプロセッサと、
前記プロセッサに結合されたメモリと
を備える、ワイヤレス通信のための装置。
【請求項１７】
前記第１の決定は、前記第１のＲＡＴを介してすべてのデータベアラのアップリンクトラヒックを送るという決定を備える、請求項１６に記載の装置。
【請求項１８】
前記第２の決定は、前記第１のＲＡＴおよび前記第２のＲＡＴの両方を介して１つまたは複数のデータベアラのダウンリンクトラヒックを送るという決定を備える、請求項１７に記載の装置。
【請求項１９】
前記第１のＲＡＴはワイヤレス広域ネットワーク（ＷＷＡＮ）を備え、前記第２のＲＡＴはワイヤレスローカルエリアネットワーク（ＷＬＡＮ）を備える、請求項１８に記載の装置。
【請求項２０】
前記第２の決定は、前記第１のＲＡＴおよび前記第２のＲＡＴの両方を介してベアラのためのダウンリンクトラヒックを送るという決定を備える、請求項１６に記載の装置。
【請求項２１】
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
請求項１６に記載の装置。
【請求項２２】
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、請求項１６に記載の装置。
【請求項２３】
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、請求項１６に記載の装置。
【請求項２４】
前記プロセッサは、前記第１および第２の決定のうちの少なくとも１つを示す無線リソース制御（ＲＲＣ）メッセージを供給するようにさらに構成される、請求項１６に記載の装置。
【請求項２５】
１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、前記第１のＲＡＴと前記第２のＲＡＴを介してルーティングするために独立して構成され、
前記受信された構成に応答して構成完了メッセージを送ることと
を行うように構成されたプロセッサと、
前記プロセッサに結合されたメモリと
を備える、ワイヤレス通信のための装置。
【請求項２６】
前記プロセッサは、
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
を行うようにさらに構成される、請求項２５に記載の装置。
【請求項２７】
前記第１のＲＡＴはＷＷＡＮを備える、請求項２６に記載の装置。
【請求項２８】
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
請求項２５に記載の装置。
【請求項２９】
前記受信された構成は、無線リソース制御（ＲＲＣ）メッセージにおいて受信される、請求項２５に記載の装置。
【請求項３０】
前記プロセッサは、チャネル状態報告を送るようにさらに構成され、ここにおいて、前記受信された構成は、前記チャネル状態報告に基づく、請求項２５に記載の装置。
【発明の詳細な説明】
【関連出願の相互参照】
【０００１】
[0001]  本特許出願は、本出願の譲受人に譲渡され、参照により全体がここに明確に組み込まれる、２０１３年８月９日に出願された米国仮出願第61/864,298号に対する優先権を主張する。
【背景技術】
【０００２】
開示の分野
[0002]  本開示のある態様は、一般にワイヤレス通信に関し、より具体的には、無線アクセス技術（ＲＡＴｓ）間のベアラを切り替えるための技術に関する。
【０００３】
関連技術の説明
[0003]  ワイヤレス通信システムは、音声、データなど、様々なタイプの通信コンテンツを提供するために広く展開されている。これらのシステムは、利用可能なシステムリソース（例えば、帯域幅および送信電力）を共有することによって複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））システム、ロングタームエボリューションアドバンスト（ＬＴＥ−Ａ）システム、および直交周波数分割多元接続（ＯＦＤＭＡ）システムを含む。
【０００４】
[0004]  一般に、ワイヤレス多元接続通信システムは、複数のワイヤレス端末のための通信を同時にサポートできる。各端末は、順方向リンクおよび逆方向リンク上での送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信技術が進歩していくにつれ、増加する数の異なる無線アクセス技術が利用されている。例えば、たくさんの地理的エリアが今や複数のワイヤレス通信システムによってサーブされ、それらの各々は１つまたは複数の異なるエアインターフェース技術を利用することができる。そのようなネットワーク環境において、ワイヤレス端末の多用途性を増加させるために、複数の無線技術の下で動作することができるマルチモードワイヤレス端末へのトレンドが近年増加している。例えば、マルチモードインプリメンテーションは、地理的エリアにおける複数のシステムの中からシステムを選択することを端末に可能にさせることができ、その各々は、異なる無線インターフェース技術を利用し、１つまたは複数の選ばれたシステムと続いて通信し得る。
【０００６】
[0006]  いくつかの場合において、その様なシステムは、トラヒックが１つのネットワーク、例えばワイヤレス広域ネットワーク（ＷＷＡＮ）から、第２のネットワーク、例えばワイヤレスローカルエリアネットワーク（ＷＬＡＮ）へオフロードされることを可能にし得る。
【発明の概要】
【０００７】
[0007]  本開示のある態様は、基地局（ＢＳ）によって実行されるワイヤレス通信のための方法を提供する。方法は、一般的に、１つまたは複数のデータベアラを介してユーザ機器（ＵＥ）とのデータ接続を確立することと、第１の無線アクセス技術（ＲＡＴ）または第２のＲＡＴを介してＵＥから各データベアラのためのアップリンクトラヒックをルーティングするかどうかの第１の決定を行うことと、第１のＲＡＴまたは第２のＲＡＴを介してＵＥへ各データベアラのためのダウンリンクトラヒックをルーティングするかどうかの第２の決定を行うことと、第１および第２の決定に基づいてデータ接続に参加することと、を含む。
【０００８】
[0008]  本開示のある態様は、ユーザ機器（ＵＥ）によって実行されるワイヤレス通信のための方法を提供する。方法は、一般的に、１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、第１のＲＡＴと第２のＲＡＴを介してルーティングするために独立して構成され、受信された構成に応答して構成完了メッセージを送ることと、を含む。
【０００９】
[0009]  本開示のある態様は、ワイヤレス通信のための装置を提供する。装置は、一般的に、１つまたは複数のデータベアラを介してユーザ機器（ＵＥ）とのデータ接続を確立することと、第１の無線アクセス技術（ＲＡＴ）または第２のＲＡＴを介してＵＥから各データベアラのためのアップリンクトラヒックをルーティングするかどうかの第１の決定を行うことと、第１のＲＡＴまたは第２のＲＡＴを介してＵＥへ各データベアラのためのダウンリンクトラヒックをルーティングするかどうかの第２の決定を行うことと、第１および第２の決定に基づいてデータ接続に参加することと、を行うように構成されたプロセッサと、そのプロセッサに結合されたメモリと、を含む。
【００１０】
[0010]  本開示のある態様は、ワイヤレス通信のための装置を提供する。装置は、一般的に、１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、第１のＲＡＴと第２のＲＡＴを介してルーティングするために独立して構成され、受信された構成に応答して構成完了メッセージを送ることと、を行うように構成されたプロセッサと、そのプロセッサに結合されたメモリと、を含む。
【００１１】
[0011]  本開示のさまざまな態様および特徴が、下記においてさらに詳細に説明される。
【図面の簡単な説明】
【００１２】
[0012]  本開示の上述された特徴が詳細に理解できるように、上記で簡潔に要約されたより特定の説明は、態様への参照によりなされることがあり得、それらのうちのいくつかは、添付された図面内において例示される。しかしながら、この説明は、他の同様に効果的な態様にも認められ得るものであるため、添付の図面に示されているのは、この開示のある代表的な態様であり、したがってその範囲を限定するものと考えられるべきではないということに留意されるべきである。
【図１】図１は、本開示のある複数の態様に従う、一例の多元接続ワイヤレス通信システムを例示する。
【図２】図２は、本開示のある複数の態様に従うアクセスポイントおよびユーザ端末のブロック図を例示する。
【図３】図３は、本開示のある複数の態様に従うワイヤレスデバイスにおいて利用され得る様々なコンポーネントを例示する。
【図４】図４は、本開示のある複数の態様に従う、一例のマルチモードモバイル局を例示する。
【図５】図５は、本開示のある複数の態様に従う、ワイヤレスローカルエリアネットワーク（ＷＬＡＮ）とディスジョイント（disjoint）ベアラルーティングを用いる３ＧＰＰ  ｅＮｏｄｅＢのための２つの基準セルラ−ＷＬＡＮ相互作用アーキテクチャ（two reference cellular-WLAN interworking architectures）を例示する。
【図６】図６は、本開示のある複数の態様に従う、無線アクセス技術（ＲＡＴｓ）間のベアラを切り替えるための例示的プロセスを例示する。
【図７】図７は、本開示のある複数の態様に従う、無線アクセス技術（ＲＡＴｓ）間のベアラを切り替えるための基地局によって実行される例示的な動作を説明する。
【図８】図８は、本開示のある複数の態様に従う、無線アクセス技術（ＲＡＴｓ）間のベアラを切り替えるためのユーザ機器によって実行される例示的な動作を説明する。
【詳細な説明】
【００１３】
[0021]  ワイヤレスサービスの需要が増加するにつれて、ワイヤレス広域エリアネットワーク（ＷＷＡＮ）上の混雑（congestion）を低減させるため、およびオペレータにより展開（deployed）されたワイヤレスローカルエリアネットワーク（ＷＬＡＮｓ）がしばしばあまり利用されていない（under-utilized）ため、ネットワークオペレータは、ＷＷＡＮ、例えば、セルラネットワークから、ＷＬＡＮ、例えば、Ｗｉ−Ｆｉ  ＷＬＡＮ、へユーザデバイストラヒックをオフロードすることを望み得る。本開示の複数の態様に従って、ユーザ機器（ＵＥ）は、ＷＷＡＮの基地局（例えば、ｅＮｏｄｅＢ）とＷＬＡＮの基地局（例えば、Ｗｉ−Ｆｉ  ＡＰ）に同時に接続されることがあり得、それはシグナリングおよびデータトラヒックをＵＥへ、およびＵＥからトランスポートするために無線アクセスリンクを提供する。ＵＥ上の各アクティブサービス（例えば、電話呼のための音声トラヒックを搬送するサービス、電子メールサービス、ウェブブラウザサービス等）のためのデータは、ネットワークエンティティ（例えば、コアネットワークサーバ）へ、またはネットワークエンティティから、１つまたは複数のベアラを介して搬送され得る。トラヒックが２つのエンドポイント間で送られることができるように、ベアラは、その２つのエンドポイント間の「バーチャル」接続またはパイプラインを確立する。ベアラは概して（typically）、ＵＥ（例えば、ダウンリンクおよびアップリンクトラヒック）へ、およびＵＥからの両方でトラヒックを搬送する。本開示のある複数の態様に従って、いくつかのサービスのためのベアラは、１つまたは複数のＷＬＡＮ（例えば、Ｗｉ−Ｆｉ  ＷＬＡＮ）を介してルーティングされることがあり得、一方で、他のサービスのためのベアラは、ＷＷＡＮ（例えば、３ＧＰＰ無線アクセスネットワーク（ＲＡＮ））を介してルーティングされる。本開示は、ＵＥへのベアラのためのトラヒックがＷＬＡＮ  ＢＳを介して搬送されることを可能にするための方法および装置を提供し、一方で、ＵＥからの同一のベアラのためのトラヒックはＷＷＡＮ  ＢＳを介して搬送され、逆もまた同様である。ＷＷＡＮ  ＢＳおよびＷＬＡＮ  ＢＳはコロケートされ（collocated）得る、または非コロケートされ（non-collocated）得る。本開示のある複数の態様に従って、ベアラを切り替えるかどうかを決定するための、およびそれらがＷＷＡＮまたはＷＬＡＮ上でサーブされるように構成するための方法が説明される。本開示のある複数の態様に従って、ベアラを切り替えるかどうかは、システム有用性関数（a system utility function）を最大化する一方で、各ベアラのための「より良い」リンクを用いてベアラをサーブすることの主な目的（main objectives）に基づいて決定され得る。ある複数の態様において、より良いリンクは、ユーザのチャネル状態、トラヒック、および同じリンクを共有している他のユーザに部分的に基づいて決定され得る。
【００１４】
[0022]  下記において、添付の図面を参照し、本開示のさまざまな態様がより十分に説明される。しかしながら、本開示は、多くの異なる形態で具現化されることがあり得、この開示全体を通して提示されるいずれの指定の構造（structure）または機能にも限定されるものと解釈されるべきではない。むしろ、これらの態様は、この開示を徹底的かつ完全なものとし、本開示の範囲が当業者に十分に伝わるように、提供されるものである。本明細書における教示に基づき、当業者は、本開示の範囲が、本開示の他のなんらかの態様と独立してインプリメントされようと、それらと組み合わされてインプリメントされようと、ここに開示された開示の任意の態様をカバーすることを意図している、ということを理解すべきである。例えば、本明細書に記載の任意の数の態様を使用して、装置がインプリメントされ得、または方法が実行され得る。加えて、本開示の範囲は、他の構造、機能、すなわち、ここに説明された開示のさまざまな態様に加えた構造および機能、または、それらの態様以外の構造および機能を使用して実行された、そのような装置または方法をカバーすることを意図している。ここに開示された開示の任意の態様は、請求項の１つまたは複数のエレメントによって具現化され得ることが理解されるべきである。
【００１５】
[0023]  「典型的（exemplary）」という用語は、本明細書では、「例、事例、または実例としての役割を果たす」という意味で用いられる。「典型的」なものとしてここに説明される任意の態様は、必ずしも、他の態様よりも好ましい、または利点を有するものと解釈されるべきではない。
【００１６】
[0024]  特定の態様がここに説明されるが、これらの態様の多くの変形および置換が、本開示の範囲内に含まれる。好ましい態様のいくつかの恩恵および利点が説明されるが、本開示の範囲は、特定の恩恵、使用、または目的に限定されることを意図しない。むしろ、本開示の態様は、異なるワイヤレス技術、システム構成、ネットワーク、および送信プロトコルに広く適用可能であることが意図され、そのうちのいくつかは、図面および好ましい態様の下記の説明において、例として示される。詳細な説明および図面は、添付の請求項およびその同等のものによって定義される本開示の範囲を限定するよりむしろ本開示の単なる例示にすぎない。
【００１７】
典型的なワイヤレス通信システム
[0025]  ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々なワイヤレス通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ＣＤＭＡ２０００等のような無線技術をインプリメントし得る。ＵＴＲＡは、広帯域ＣＤＭＡ（Ｗ−ＣＤＭＡ（登録商標））および低チップレート（ＬＣＲ）を含む。ＣＤＭＡ２０００は、ＩＳ−２０００、ＩＳ−９５およびＩＳ−８５６規格をカバーする。ＴＤＭＡネットワークは、モバイル通信のための全世界システム（ＧＳＭ（登録商標））のような無線技術をインプリメントし得る。ＯＦＤＭＡネットワークは、発展型ＵＴＲＡ（Ｅ−ＵＴＲＡ）、ＩＥＥＥ ８０２．１１、ＩＥＥＥ  ８０２．１６、ＩＥＥＥ  ８０２．２０、フラッシュ−ＯＦＤＭ（登録商標）等のような無線技術をインプリメントし得る。ＵＴＲＡ、Ｅ−ＵＴＲＡ、およびＧＳＭは、ユニバーサルモバイル通信システム（ＵＭＴＳ）の一部である。ロングタームエボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体からの文書に説明されている。ＣＤＭＡ２０００は、「第３世代パートナーシッププロジェクト２」（３ＧＰＰ２）という名称の団体からの文書に説明されている。
【００１８】
[0026]  シングルキャリア周波数分割多元接続（ＳＣ−ＦＤＭＡ）は、送信機側でシングルキャリア変調を利用し、受信機側で周波数領域等化（frequency domain equalization）を利用する送信技法である。ＳＣ−ＦＤＭＡは、ＯＦＤＭＡシステムと同様の性能（performance）を有し、ＯＦＤＭＡシステムと実質的に同じ全体的な複雑性（overall complexity）を有する。しかしながら、ＳＣ−ＦＤＭＡ信号は、それの特有のシングルキャリア構造が原因で、より低いピーク対平均電力比（ＰＡＰＲ：peak-to-average power ratio）を有する。ＳＣ−ＦＤＭＡは、特に、送信電力効率の観点からより低いＰＡＰＲがモバイル端末に大いに利益をもたらすアップリンク通信において、大いに注目を集めている。これは現在、３ＧＰＰ  ＬＴＥおよび発展型ＵＴＲＡにおけるアップリンク多元接続スキームに関する作業仮説（working assumption）である。
【００１９】
[0027]  アクセスポイント（「ＡＰ」）は、ノードＢ、無線ネットワークコントローラ（「ＲＮＣ」）、ｅＮｏｄｅＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の用語を備えることができ、これらとしてインプリメントされることができ、または、これらとして既知であり得る。
【００２０】
[0028]  アクセス端末（「ＡＴ」）は、アクセス端末、加入者局、加入者ユニット、モバイル局、リモート局、リモート端末、ユーザ端末、ユーザエージェント、ユーザデバイス、ユーザ機器、ユーザ局、または何らかの他の用語を備えることができ、これらとしてインプリメントされることができ、または、これらとして既知であり得る。いくつかのインプリメンテーションにおいて、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の適切な処理デバイスを備え得る。したがって、本明細書で教示される１つまたは複数の態様は、電話（例えば、セルラ電話またはスマートフォン）、コンピュータ（例えば、ラップトップ）、携帯通信デバイス、携帯コンピューティングデバイス（例えば、携帯情報端末）、エンターテイメントデバイス（例えば、音楽または映像デバイス、または衛星ラジオ）、全地球測位システムデバイス、または、ワイヤレス媒体またはワイヤード（wired）媒体を介して通信するように構成される何らかの他の適切なデバイスに組み込まれ得る。いくつかの態様では、ノードはワイヤレスノードである。そのようなワイヤレスノードは、例えば、ワイヤードまたはワイヤレス通信リンクを介した、ネットワーク（例えば、インターネットまたはセルラネットワークのような広域ネットワーク）のための接続性（connectivity）、またはネットワークへの接続性を提供し得る。
【００２１】
[0029]  図１を参照すると、一態様に従う多元接続ワイヤレス通信システムが例示されており、そこで、ワイヤレスネットワークの取得（acquisition）を開始する時間を低減させるために説明される手順が実行され得る。アクセスポイント１００（ＡＰ）は、複数のアンテナグループを含み得、１つのグループはアンテナ１０４および１０６を含み、別のグループはアンテナ１０８および１１０を含み、さらに追加の１つのグループはアンテナ１１２および１１４を含む。図１において、２つのアンテナが各アンテナグループのために表わされる。しかしながらそれよりも多くの、もしくはそれよりも少ないアンテナが各アンテナグループのために利用され得る。アクセス端末１１６（ＡＴ）は、アンテナ１１２および１１４と通信していることがあり得、そこで、アンテナ１１２および１１４は、順方向リンク１２０を介してアクセス端末１１６に情報を送信し、逆方向リンク１１８を介してアクセス端末１１６から情報を受信する。アクセス端末１２２はアンテナ１０６および１０８と通信していることがあり得、そこで、アンテナ１０６および１０８は、順方向リンク１２６を介してアクセス端末１２２に情報を送信し、逆方向リンク１２４を介してアクセス端末１２２から情報を受信する。ＦＤＤシステムでは、通信リンク１１８、１２０、１２４および１２６は、通信のために異なる周波数を使用し得る。例えば、順方向リンク１２０は、逆方向リンク１１８によって使用されるものとは異なる周波数を使用し得る。
【００２２】
[0030]  アンテナの各グループ、および／またはアンテナが通信するように設計されるエリアは、しばしば、アクセスポイントのセクタと呼ばれる。本開示の一態様において、各アンテナグループは、アクセスポイント１００によってカバーされるエリアのセクタ中でアクセス端末に通信するように設計され得る。
【００２３】
[0031]  順方向リンク１２０および１２６を介する通信では、アクセスポイント１００の送信アンテナは、異なるアクセス端末１１６および１２２に対して順方向リンクの信号対雑音比を改善するためにビームフォーミングを利用し得る。また、アクセスポイントが、ビームフォーミングを使用して、それのカバレージを通して（through）ランダムに分散されたアクセス端末に送信する方が、アクセスポイントが単一のアンテナを通してすべてのそれのアクセス端末に送信するよりも、隣接するセル（neighboring cells）中のアクセス端末への干渉が小さくなる。
【００２４】
[0032]  図２は、多入力多出力（ＭＩＭＯ）システム２００における送信機システム２１０（アクセスポイントとしても知られる）および受信機システム２５０（アクセス端末としても知られる）の態様のブロック図を例示する。送信機システム２１０において、多数のデータストリームに関するトラヒックデータが、データソース２１２から送信（ＴＸ）データプロセッサ２１４へと提供される。
【００２５】
[0033]  本開示の一態様において、各データストリームは、それぞれの送信アンテナを介して送信され得る。ＴＸデータプロセッサ２１４は、各データストリームに関するトラヒックデータを、そのデータストリームのために選択された特定のコーディング方式に基づいて、フォーマットし、コード化し、およびインターリーブし、コード化されたデータを提供する。
【００２６】
[0034]  各データストリームに関するコード化されたデータは、ＯＦＤＭ技法を使用してパイロットデータとともに多重化され得る。パイロットデータは概して、既知の手法で処理され、チャネル応答を推定するために受信機システムにおいて使用され得る、既知のデータパターンであり得る。そして、各データストリームに関する多重化されたパイロットデータとコード化されたデータは、そのデータストリームのために選択された特定の変調方式（例えば、ＢＰＳＫ、ＱＳＰＫ、Ｍ−ＰＳＫ、またはＭ−ＱＡＭ）に基づいて変調（すなわち、シンボルマッピング）され、変調シンボルを提供する。各データストリームに関するデータレート、コーディング、および変調は、プロセッサ２３０によって実行される命令によって決定され得る。メモリ２３２は、送信機システム２１０のためのデータおよびソフトウェアを記憶し得る。
【００２７】
[0035]  そして、すべてのデータストリームに関する変調シンボルがＴＸ  ＭＩＭＯプロセッサ２２０に提供され、それはさらに、（例えば、ＯＦＤＭ用に）変調シンボルを処理し得る。ＴＸ  ＭＩＭＯプロセッサ２２０は、その後、ＮT個の変調シンボルストリームをＮT個の送信機（ＴＭＴＲ）２２２ａないし２２２ｔに提供する。本開示のある複数の態様において、ＴＸ  ＭＩＭＯプロセッサ２２０は、データストリームのシンボルと、そこからシンボルが送信されるアンテナとにビームフォーミング重みを適用する。
【００２８】
[0036]  各送信機２２２は、それぞれのシンボルストリームを受信および処理して、１つまたは複数のアナログ信号を提供し、これらのアナログ信号をさらに調整（例えば、増幅、フィルタ処理、およびアップコンバート）して、ＭＩＭＯチャネルを介した送信に適した被変調信号（a modulated signal）を提供する。送信機２２２ａないし２２２ｔからのＮT個の被変調信号は、次に、それぞれＮT個のアンテナ２２４ａないし２２４ｔから送信される。
【００２９】
[0037]  受信機システム２５０において、送信された被変調信号は、ＮR個のアンテナ２５２ａないし２５２ｒによって受信されることがあり得、各アンテナ２５２からの受信された信号は、それぞれの受信機（ＲＣＶＲ）２５４ａないし２５４ｒに提供されることがあり得る。各受信機２５４は、それぞれの受信された信号を調整（例えば、フィルタ処理、増幅、およびダウンコンバート）し、調整された信号をデジタル化してサンプルを提供し、これらのサンプルをさらに処理して、対応する「受信された」シンボルストリームを提供し得る。
【００３０】
[0038]  その後、ＲＸデータプロセッサ２６０は、ＮR個の受信機２５４からＮR個の受信されたシンボルストリームを受信し、それらを特定の受信機処理技法に基づいて処理して、ＮT個の「検出された」シンボルストリームを提供する。そして、ＲＸデータプロセッサ２６０は、各々の検出されたシンボルストリームを復調し、デインターリーブし、復号して、データストリームに関するトラヒックデータをリカバーする。ＲＸデータプロセッサ２６０による処理は、送信機システム２１０においてＴＸ  ＭＩＭＯプロセッサ２２０およびＴＸデータプロセッサ２１４によって実行されるものと相補的であり得る。
【００３１】
[0039]  プロセッサ２７０は、どのプリコーディングマトリクスを使用すべきかを定期的に決定する。プロセッサ２７０は、マトリクスインデックスの部分とランク値の部分とを備える逆方向リンクメッセージを公式化する（formulates）。メモリ２７２は、受信機システム２５０のためのデータおよびソフトウェアを記憶し得る。逆方向リンクメッセージは、通信リンクおよび／または受信されたデータストリームに関するさまざまなタイプの情報を備え得る。逆方向リンクメッセージは次に、データソース２３６からのいくつかのデータストリームに関するトラヒックデータの受信もするＴＸデータプロセッサ２３８によって処理され、変調器２８０によって変調され、送信機２５４ａないし２５４ｒによって調整され、そして送信機システム２１０へ送り返される。
【００３２】
[0040]  送信機システム２１０において、受信機システム２５０からの被変調信号は、アンテナ２２４によって受信され、受信機２２２によって調整され、復調器２４０によって復調され、ＲＸデータプロセッサ２４２によって処理され、受信機システム２５０によって送信された逆方向リンクメッセージが抽出される。その後、プロセッサ２３０は、ビームフォーミング重みを決定するためにどのプリコーディングマトリクスを使用すべきかを決定し、次いで、抽出されたメッセージを処理する。
【００３３】
[0041]  図３は、図１において例示されるワイヤレス通信システム内で用いられ得るワイヤレスデバイス３０２において利用され得るさまざまなコンポーネントを例示する。ワイヤレスデバイス３０２は、ここにおいて説明されるさまざまな方法をインプリメントするように構成され得るデバイスの一例である。ワイヤレスデバイス３０２は基地局１００またはユーザ端末１１６および１２２のうちのいずれかであり得る。
【００３４】
[0042]  ワイヤレスデバイス３０２は、ワイヤレスデバイス３０２の動作を制御するプロセッサ３０４を含み得る。プロセッサ３０４はまた、中央処理ユニット（ＣＰＵ）とも称され得る。読取専用メモリ（ＲＯＭ）とランダムアクセスメモリ（ＲＡＭ）との両方を含み得るメモリ３０６は、命令およびデータをプロセッサ３０４に提供する。メモリ３０６の一部は、不揮発性ランダムアクセスメモリ（ＮＶＲＡＭ）も含み得る。プロセッサ３０４は概して、メモリ３０６内に記憶されたプログラム命令に基づいて、論理および演算動作を実行する。メモリ３０６における命令は、ここにおいて説明される方法をインプリメントするために実行可能であり得る。
【００３５】
[0043]  ワイヤレスデバイス３０２はまた、ハウジング３０８を含むことがあり得、このハウジングは、ワイヤレスデバイス３０２と遠隔のロケーションとの間でのデータの送受信を可能にする、送信機３１０および受信機３１２を含み得る。送信機３１０および受信機３１２は、トランシーバ３１４に組み合わされ得る。単一の送信アンテナまたは複数の送信アンテナ３１６が、ハウジング３０８に取り付けられ、トランシーバ３１４に電気的に結合され得る。ワイヤレスデバイス３０２はまた、（示されていない）複数の送信機と、複数の受信機と、複数のトランシーバとを含み得る。
【００３６】
[0044]  ワイヤレスデバイス３０２はまた、トランシーバ３１４によって受信された信号のレベルを検出し、定量化しようとするのに使用され得る信号検出器３１８を含み得る。信号検出器３１８は、総エネルギー、シンボルあたりのサブキャリアごとのエネルギー、電力スペクトル密度、および他の信号のような信号を検出し得る。ワイヤレスデバイス３０２はまた、信号を処理する際に使用するための、デジタル信号プロセッサ（ＤＳＰ）３２０も含み得る。
【００３７】
[0045]  ワイヤレスデバイス３０２のさまざまなコンポーネントは、データバスに加えて、電力バス、制御信号バス、ステータス信号バスを含み得る、バスシステム３２２により、共に結合され得る。
【００３８】
[0046]  加入者に利用可能なサービスを拡大するために、いくつかのモバイル局（ＭＳ）は、複数の無線アクセス技術（ＲＡＴｓ）との通信をサポートする。例えば、図４に例示されるように、マルチモードＭＳ  ４１０は、ブロードバンドデータサービスのためのＬＴＥおよび音声サービスのための符号分割多元接続（ＣＤＭＡ）をサポートし得る。例示的に、ＬＴＥは第１のＲＡＴ  ４２０1として表され、ＣＤＭＡは第２のＲＡＴ  ４２０2として表され、Ｗｉ−Ｆｉは第３のＲＡＴ  ４２２1として表される。
【００３９】
[0047]  あるアプリケーションにおいて、マルチＲＡＴインターフェース論理４３０は、長距離のＲＡＴ（すなわち、ＷＷＡＮ）と短距離のＲＡＴ（すなわち、ＷＬＡＮ）の両方の間で情報を交換するために使用され得る。これは、どのようにして（どのＲＡＴを通して）マルチモードＭＳ  ４１０のエンドユーザが実際にネットワークに接続するかを制御することをネットワークプロバイダに可能にさせ得る。インターフェース論理４３０は、例えば、コアネットワークへのＩＰ接続性またはローカルＩＰ接続性をサポートし得る。
【００４０】
[0048]  例えば、ネットワークプロバイダは、利用可能なとき、短距離のＲＡＴ（例えば、Ｗｉ−Ｆｉ）を介してネットワークに接続するようにマルチモードＭＳに指示する（direct）ことを可能にし得る。この能力は、特定のエアリソースの混雑を緩和する方法でトラヒックをルーティングすることをネットワークプロバイダに可能にさせ得る。事実上、ネットワークプロバイダはいくつかの（長距離のＲＡＴの）エアトラヒックをワイヤライン（wireline）ネットワークへ分散させるため、またはいくつかのエアトラヒックを混雑したワイヤレスネットワーク（a congested wireless network）から混雑の少ないワイヤレスネットワーク（a less congested wireless network）へ分散させるために、短距離のＲＡＴを使用し得る。トラヒックは、モバイルユーザが短距離のＲＡＴに適していないあるレベルへとスピードを増加させるときなどの、状態（conditions）が強制する（mandate）とき、短距離のＲＡＴから再ルーティングされ得る。
【００４１】
[0049]  さらに、長距離のＲＡＴは概して、数キロメートルにわたってサービスを提供するように設計されているため、長距離のＲＡＴを使用するときのマルチモードＭＳからの送信の電力消費が重要になる。対照的に、短距離のＲＡＴ（例えば、Ｗｉ−Ｆｉ）は、数百メートルにわたってサービスを提供するように設計されている。したがって、利用可能なときに短距離のＲＡＴを利用することは、マルチモードＭＳ  ４１０によるより少ない電力消費をもたらし、結果的により長いバッテリ寿命をもたらし得る。
【００４２】
[0050]  図５は、ＷＬＡＮ  ＡＰ  ５０６（例えば、Ｗｉ−Ｆｉ  ＡＰ）とＷＷＡＮ  ＢＳ  ５０４（例えば、３ＧＰＰ  ｅＮｏｄｅＢ）のための基準ＷＷＡＮ−ＷＬＡＮ相互作用アーキテクチャを例示する。アーキテクチャは、３ＧＰＰとＷＬＡＮシステムとの間で相互作用する機能の一実施形態である。これは、３ＧＰＰ加入者によるＷＬＡＮアクセスサービスの使用を許可する。例示されるように、ＷＷＡＮ  ＢＳおよびＷＬＡＮ  ＢＳはコロケートまたは非コロケートされ得る。ユーザ機器（ＵＥ）５０２は、異なるインターネットプロトコル（ＩＰ）アドレスを使用し、ＷＷＡＮ  ＢＳとのパケットデータネットワーク（ＰＤＮ）接続およびＷＬＡＮ  ＡＰにおけるＰＤＮ接続を分け得る。ＷＬＡＮおよび３ＧＰＰのためのデータプレーン（data planes）は実質的に独立し、ＵＥのためのセッションの継続性（session continuity）（例えば、ＷＬＡＮのための移動度サポート）はないことがあり得る。言い換えると、ＵＥ  ５０２は、ＷＬＡＮ  ＡＰに独立して気づくことがあり得、ＵＥが見つける、または気づく各ＷＬＡＮ  ＡＰと新しいセッションを確立し得る。本開示のある複数の態様は、ＷＬＡＮへのトラヒックをオフロードするおよびＵＥの接続を制御するセルラネットワークのための技法を提供する。
【００４３】
[0051]  ＵＥ  ５０２などのＵＥは、ＩＥＥＥ  ８０２．１１において指定されるようなスキャニング手順（scanning procedures）を実行することによってＷＬＡＮ  ＡＰに気づくことがあり得、それは一般にパッシブスキャニング（passive scanning）およびアクティブスキャニング（active scanning）を含む。ＩＥＥＥ  ８０２．１１において定義されるようなパッシブスキャニングは、ＵＥがＷＬＡＮ  ＡＰからのＷＬＡＮビーコンの受信のために受信機をオンしたまま待つため、ＵＥのために非効率的であり得る。ビーコン送信間隔は、およそ百ミリ秒であり、多数のスキャンするべきチャネルがあり得るため、パッシブスキャニングはスキャニングおよび高スキャンレイテンシ（latency）のために高い電力消費をもたらし得る。アクティブスキャニングは、パッシブスキャニングよりも速いことがあり得るが、アクティブスキャニングはＷＬＡＮにトラヒック、つまり、プローブ要求（probe requests）およびプローブ応答を加える。アクティブスキャニングはまた、電力集中的である（power intensive）。
【００４４】
[0052]  ＩＥＥＥ  ８０２．１１ｕは、ＡＰと関連付けられることなしに、ＡＰについてさらなる情報を発見するためにＵＥのための追加のメカニズムを定義した。例えば、包括的広告サービス（ＧＡＳ：generic advertisement service）は、ネットワークにおけるサーバとＵＥとの間の広告プロトコルのフレームのトランスポートを提供し得る。ＡＰは、キャリアのネットワークにおけるサーバへモバイルデバイスのクエリ（query）のリレーおよびモバイルへサーバの返答の伝達を担い得る。ＵＥがＡＰについての情報を発見するための別のメカニズムの例は、アクセスネットワーククエリプロトコル（ＡＮＱＰ：access network query protocol）であり、それは一般的に包括的広告サービス（ＧＡＳ）を介してトランスポートされるＡＰからのＵＥ／ＳＴＡによるアクセスネットワーク情報検索のためのクエリ広告プロトコルである。ＡＮＱＰを介して検索された（retrieved）情報は、Ｈｏｔｓｐｏｔのオペレータのドメインネーム、認証のためにサポートされる拡張可能認証プロトコル（ＥＡＰ）方法とそれらの証明タイプとともに（along with）Ｈｏｔｓｐｏｔを介してアクセス可能なローミングパートナー、ＩＰアドレスタイプの利用可能性、およびＵＥのネットワーク選択プロセスにおいて有益な他のメタデータを含み得る。
【００４５】
[0053]  ＵＥは、ネットワークエンティティ（例えば、移動度管理エンティティ（ＭＭＥ）または無線ネットワークコントローラ（ＲＮＣ））へＷＬＡＮ  ＡＰの測定値を提供するために、ＷＬＡＮ  ＡＰと関連付けられる必要がないことがあり得る。ＵＥは、ＩＥＥＥ  ８０２．１１ｋ、ＩＥＥＥ  ８０２．１１ｕおよびＨｏｔｓｐｏｔ２．０において定義されるような追加の手順のサブセットをサポートし得る。図５の非コロケートされたＷＷＡＮ  ＢＳおよびＷＬＡＮ  ＡＰ内に例示されるように、無線アクセスネットワーク（ＲＡＮ）に関して、ＡＰとＢＳとの間にインターフェースはないことがあり得る。ＡＮＱＰは、バックホールを介してＷＷＡＮ基地局とローディングまたはネイバー情報（neighbor information）を交換しない、オペレータに制御されるＷＬＡＮ  ＡＰに関する情報を決定するために利用され得る。しかしながら、コロケートされたＡＰおよびＷＷＡＮ  ＢＳの場合には、ＩＥＥＥ  ８０２．１１ｋ、ＩＥＥＥ  ８０２．１１ｕ、およびＡＰ上のＨｏｔｓｐｏｔ２．０情報は、ＷＷＡＮ  ＢＳ（例えば、バックホールリンクを介して）において知られることがあり得、ＵＥは情報を取得するためにＡＮＱＰを実行する必要がないことがあり得る。効率的なパッシブスキャニングが可能にされるとき、ＡＰはＲＡＮによって広告される時間においてそのビーコンを送信し得る。言い換えると、ＡＰはＷＷＡＮのシステムフレーム番号（ＳＦＮ）およびセルラタイミングを取得することがあり得、ＲＡＮによって広告されるビーコン送信時間においてビーコンを送信することがあり得る。ある複数の態様のために、報告（reporting）の２つのレベルは、ＡＰを識別すること：（例えば、ＢＳＳＩＤに基づいて）すなわち、ビーコンのみから、ＡＰを識別することと、（例えば、非コロケートされたＡＰおよびｅＮＢの場合に）ＡＮＱＰを使用して情報を識別するＨｏｔｓｐｏｔ２．０、ＩＥＥＥ  ８０２．１１ｋ、またはＩＥＥＥ  ８０２．１１ｕを提供すること、を行うために使用され得る。
【００４６】
ディスジョイントベアラルーティング
[0054]  本開示のある複数の態様に従って、ユーザはＷＷＡＮ  ＢＳ（例えば、ＬＴＥ  ｅＮＢ）とＷＬＡＮ  ＢＳ（例えば、Ｗｉ−Ｆｉ  ＡＰ）の両方に同時に接続され得る。この二重の接続性は、図５を参照して上述されたように、ユーザのデータトラヒックおよびシグナリングをトランスポートするために無線アクセスリンクを提供し得る。ユーザデータまたはシグナリングベアラは、ＷＷＡＮまたはＷＬＡＮ無線リンクのいずれか、または両方によってサーブされ得る。本開示の複数の態様は、ＷＷＡＮまたはＷＬＡＮ上でサーブされるようにベアラを構成するか、およびベアラを切り替えるかどうかを決定するための技法を提供する。
【００４７】
[0055]  いくつかの場合において、ＵＥのためにベアラを切り替えるかどうかは、システム有用性関数を最大化する間、各ベアラのための「より良い」リンクを用いるサービングベアラなどの、ある目的に基づいて決定され得る。ある複数の態様に従って、より良いリンクは、ユーザのチャネル状態、トラヒック、および同じリンクを共有している他のユーザに部分的に基づいて決定され得る。ＷＷＡＮ  ＢＳ（例えば、ｅＮＢ）は、ＷＷＡＮとＷＬＡＮとの間のベアラを切り替えるという決定（decision）を行うことがあり得、図６において表されるように、ＲＲＣを介するＵＥを構成し得る。
【００４８】
[0056]  ＵＥのための無線ベアラは、２つの方向の部分（two directional parts）を有し得る。例えば、１つの方向の部分は、ＵＥからのものであり得、１つの方向の部分はＵＥへのものであり得、３ＧＰＰ用語において、それぞれアップリンクおよびダウンリンクと呼ばれる。本開示のある複数の態様に従って、無線ベアラのダウンリンクおよびアップリンクの部分は、同一のアクセスリンク上でサーブされるとは限らない。これらの複数の態様に従って、データベアラのダウンリンク（すなわち、ＵＥへの）は、ＷＬＡＮ（例えば、Ｗｉ−Ｆｉ）アクセスリンク上でサーブされることがあり得、一方でデータベアラのアップリンクは、ＷＷＡＮ（例えば、ＬＴＥ）アクセスリンク上でサーブされることがあり得、または逆もまた同様である。これらの複数の態様に従って、データトラヒックは、所与の時間において各方向における１つのアクセスリンクによってサーブされ得る。
【００４９】
[0057]  本開示の複数の態様に従って、データベアラの方向の部分は、１つよりも多いアクセスリンクによってサーブされ得る。データベアラの方向の部分が１つよりも多いアクセスリンクによってサーブされる複数の態様において、データベアラによって運ばれている（carry）送信の各パケットは、データベアラの方向の部分をサーブするアクセスリンクのいずれかを介して送信され得る。例えば、ＵＥは、ＷＷＡＮ  ＢＳ（例えば、ｅＮｏｄｅＢ）とＷＬＡＮ  ＡＰ（例えば、Ｗｉ−Ｆｉ  ＡＰ）に接続されることがあり得、ＵＥのウェブブラウザは、インターネット上のサーバからウェブページを要求し得る。例において、ウェブブラウザをサーブするデータベアラのダウンリンクの部分は、ＷＷＡＮ  ＢＳとＷＬＡＮ  ＢＳの両方によってサーブされ得る。例において、ウェブページのデータのいくつかのパケットは、ＷＷＡＮ  ＢＳによってデータベアラを介してＵＥに送信されることがあり得、一方で、ウェブページのデータの他のパケットは、ＷＬＡＮ  ＡＰによってデータベアラを介してＵＥに送信され得る。アクセスリンクがＵＥへのダウンリンクデータを送信するために使用されているが、ＵＥからのアップリンクデータを送信するために使用されていないシナリオにおいて、アクセスリンクは補完ダウンリンク（ＳＤＬ：supplement downlink）と称され得る。
【００５０】
[0058]  前述された例において、データベアラのダウンリンクの部分は、１つよりも多いアクセスリンクによってサーブされたが、本開示はそのように制限されない。本開示の複数の態様に従って、データベアラのアップリンクの部分は、１つよりも多いアクセスリンクによってサーブされ得る。本開示の複数の態様において、データベアラのアップリンクの部分とダウンリンクの部分の両方が１つよりも多いアクセスリンクによってサーブされ得、それらは必ずしも同一のアクセスリンクではない。
【００５１】
[0059]  ベアラのアップリンクおよびダウンリンクの部分が異なるアクセスリンク上でサーブされるとき、これらのリンク上での制御メッセージの送信が変更される必要があり得る。３ＧＰＰにおけるＲＬＣ確認応答モード（ＡＭ：Acknowledged Mode）に関して、ベアラのダウンリンクおよびアップリンクの部分は、他のリンクのためにフィードバックメッセージを運び、すなわち、ＤＬフィードバックメッセージがＵＬ上で運ばれ、逆もまた同様である。現在の（例えば、Ｒｅｌ−８）ワイヤレス通信規格において、これはベアラのアップリンクとダウンリンクが異なるＲＡＴ上でサーブされるとき、問題を提示し得る。例えば、ＵＥは、ＷＬＡＮ  ＡＰ（例えば、Ｗｉ−Ｆｉ  ＡＰ）を介してデータベアラ上でウェブページのデータのパケットを受信し、ＷＷＡＮ  ＢＳ（例えば、ｅＮｏｄｅＢ）を介してデータベアラ上でパケットの確認応答（例えば、ＡＣＫ）を送信し得る。例において、ＷＬＡＮ  ＡＰは、ＷＬＡＮ  ＡＰがＵＥから確認応答を知らされていない場合、ＵＥへ同一のパケットを送信しようと試みるべきである。説明した問題に対する解決策が、本開示の複数の態様において説明される。
【００５２】
[0060]  図６はＷＷＡＮ  ＢＳ  ５０４（例えば、ｅＮＢ）がデータベアラを切り替えるときに従い（follow in switching data bearers）得る典型的なプロセスの呼フローを例示する。１ａおよび１ｂにおいて、ｅＮＢは、ＵＥ  ５０２におけるチャネル状態（例えば、ＣＱＩ報告）およびＷＬＡＮ  ＡＰ  ５０６の動作統計（operating statistics）（例えば、ＡＰ統計）に関する情報を取得し得る。いくつかの態様に従って、ｅＮＢはＵＥからＷＬＡＮ統計を取得し得る。２において、ｅＮＢはベアラ切替決定を行い得る。３において、ｅＮＢはＵＥにＲＲＣ接続再構成コマンドを送ることがあり得、４において、ｅＮＢはＵＥからＲＲＣ接続再構成完了メッセージを受信し得る。
【００５３】
[0061]  ＷＷＡＮ（例えば、ＬＴＥ）とＷＬＡＮ（例えば、Ｗｉ−Ｆｉ）との間でベアラを切り替えることが代償（cost）（例えば、中断（interruption）、遅延、および上位レイヤ（upper layers）への可能性のあるパフォーマンス衝撃（impacts））を有し得るため、過度のおよび不必要なハンドオーバを避けることが重要である。「過度の」ハンドオーバは、ピンポン（ping-pong）および頻繁過ぎる切り替えを含むことがあり得、「不必要な」ハンドオーバは、すなわち、全体としてのシステムについての合計のスループットにおいて、ほんの少しの利得もしくは損失さえ提供するハンドオーバを含み得る。
【００５４】
[0062]  本開示のある複数の態様に従って、ベアラ（ＵＬまたはＤＬ）の他の（例えば、データ）メッセージが異なるＲＡＴ（例えば、ＷＬＡＮ）上でサーブされ得る一方で、ベアラの制御メッセージは、常にＷＷＡＮ（例えば、ＬＴＥ）上でサーブされ得る。言い換えると、ベアラは、ベアラの制御メッセージが常にＷＷＡＮアクセスリンクを介してルーティングされるように構成されることがあり得、一方でベアラの他のメッセージは１つまたは複数の他のＲＡＴ（例えば、Ｗｉ−Ｆｉ）によってルーティングされる。
【００５５】
[0063]  本開示のある複数の態様に従って、制御メッセージはＵＥからＷＬＡＮ  ＡＰへ送信されるときＷＬＡＮ  ＡＰ（例えば、Ｗｉ−Ｆｉ  ＡＰ）からＷＷＡＮ  ＢＳ（例えば、ｅＮＢ）へ渡され得る。これは、ベアラのＵＬの部分がＷＬＡＮ  ＡＰによってサーブされているとき発生し得る。本開示のある複数の態様に従って、制御メッセージはｅＮＢからＵＥへ送信されるときｅＮＢからＡＰへ渡され得る。これは、ＤＬベアラがＡＰによってサーブされているとき発生し得る。
【００５６】
[0064]  いくつかの場合において、ベアラを切り替えるための決定は、各ＲＡＴ上に集められた（collected）統計を使用することを含み得る。これらの統計は、以下を含み得る：
【表１】
2019083533.tif 000003
【００５７】
[0065]  本開示のある複数の態様に従って、切替決定プロセスが定期的に開始され得る。例えば、コロケートされたＷＬＡＮ  ＡＰを有するｅＮＢは、サーブされるＵＥのベアラがＬＴＥからＷＬＡＮへ、またはＷＬＡＮからＬＴＥへ切り替えられるべきであるかを決定するために、ｅＮｏｄｅＢ、ＷＬＡＮ  ＡＰ、およびサーブされるＵＥから収集された統計を使用して、１．２８秒ごとに１回切替プロセスを開始し得る。
【００５８】
[0066]  本開示のある複数の態様に従って、イベントは変化しているチャネル状態に反応することをシステムに可能にさせるために切替決定プロセスをトリガし得る。例えば、ｅＮＢとコロケートされるＷＬＡＮ  ＡＰは、サーブされるＵＥのためのチャネル状態に対する変化を検出し、切替決定プロセスをトリガし得る。例において、ＵＥはＷＬＡＮからＬＴＥへ切り替えられた１つまたは複数のベアラを有し得る。
【００５９】
[0067]  本開示のある複数の態様に従って、ベアラがＷｉ−Ｆｉによってサーブされている場合、切替決定プロセスは、ＳＴＡからＡＰへのＲＳＳＩがしきい値よりも小さいとき、またはＡＰがある時間間隔の間に最も低いＭＣＳを選択することができないとき、トリガされ得る。
【００６０】
[0068]  本開示のある複数の態様に従って、ベアラがＬＴＥによってサーブされている場合、ＬＴＥ  ＣＱＩまたはＭＣＳがある時間間隔の間しきい値よりも低いとき、切替決定プロセスをトリガし得る。
【００６１】
[0069]  本開示のある複数の態様に従って、いずれかの方向における切り替えのために、ターゲットリンク（すなわち、それに切り替えられるアクセスリンク）は、ソースリンク（すなわち、それから切り替えられるアクセスリンク）よりも良いチャネル状態を有するべきである。例えば、コロケートされたＷｉ−Ｆｉ  ＡＰシステムを有するｅＮＢは、ＬＴＥを介するＵＥのためのベアラのアップリンクの部分およびＷｉ−Ｆｉを介するベアラのダウンリンクの部分をサーブしていることがあり得る。例において、システムは、切替プロセスを開始し、Ｗｉ−ＦｉリンクがＬＴＥリンクよりも良いチャネル状態を有することを決定する。例において、システムは、ベアラのアップリンクの部分をＷｉ−Ｆｉリンクへ切り替えることがあり得、一方で、システムは、Ｗｉ−Ｆｉリンクのチャネル状態がＬＴＥリンクのチャネル状態より優れているため、ベアラのダウンリンクの部分をＬＴＥへ切り替えないことがあり得る。
【００６２】
[0070]  本開示のある複数の態様に従って、切り替えインスタンス時間において（at switching instance times）、ＷＷＡＮ（例えば、ＬＴＥ）またはＷＬＡＮ（例えば、Ｗｉ−Ｆｉ）上でサーブされるべきベアラの選択は、切り替えインスタンスにおいて反復的に実行されるシステム最適化の結果であり得る。これらの態様に従って、最適化は合計のシステム有用性（utility）を最大化するためであり得、それは組み合わされた（例えば、ＬＴＥ＋Ｗｉ−Ｆｉ）システムのための比例フェアネス（ＰＦ：Proportional Fairness）メトリックに基づいて定義され得る。
【００６３】
[0071]  本開示のある複数の態様に従って、ベアラ間のフェアネスがＰＦメトリックに基づいて決定され得る。これらの態様に従って、切り替え時間インスタンスごとにおいて（at every switching time instance）、目的は最大の量による合計のシステム有用性を増加させることであり得る。この目的は、以下の関数を最大化するＲＡＴへのベアラの割り当てによって達成され得る：
【数１】
2019083533.tif 000004
ここで、Ｓ＝（Ｓ＿ｋ）であり、ベアラｋがＬＴＥ上にある場合、Ｓ＿ｋ＝１であり、そうでない場合は０である。この関数において、ｋはベアラインデックスであり、Δ（Ｘ＿ｋ）は、次の切替間隔期間におけるベアラｋのための予期されるスループットであり、Ｘ＿ｋは最も最近の測定期間（most recent measurement period）（時間インデックスは簡潔さのためにこの表記では省かれる）のためのベアラｋの合計スループットである。Ｓは、ＬＴＥまたはＷｉ−Ｆｉのいずれか上でサーブされるべき各ベアラの「割振り（assignment）」を決定することに留意されたい。Ｆ（Ｓ）は合計のシステム有用性関数に対応する。
【００６４】
[0072]  上記の比例フェアネス関数において、ベアラインデックス「ｋ」は、それらの構成のために切り替えることが許可されないことがあり得るベアラリンクを含む、システムにおけるすべてのベアラリンクのためのものであり得る。切り替えられないことがあり得るベアラリンクを含むことは、システム最適化におけるすべてのベアラの衝撃を組み込む（incorporates）。さらに、「ｋ」は、ベアラのアップリンクの部分およびダウンリンクの部分が別々に考慮され得るという意味では、方向を考慮し得る。
【００６５】
[0073]  本開示のある複数の態様に従って、ベアラのアップリンクの部分とダウンリンク部分は常にともに切り替えられ得る。これらの態様のために、ベアラのアップリンクの部分とダウンリンクの部分とをともに切り替えることを実行すること（enforcing）は、ＰＦアルゴリズムにおけるこの限定に従わない（do not obey）ポイントＳを捨てること（discarding）によって達成され得る。
【００６６】
[0074]  本開示のある複数の態様に従って、上記の公式化は、いずれの特定のベアラのサービス品質（ＱｏＳ）クラス識別子（ＱＣＩ）またはトラヒックタイプに関わらず、すべてのベアラに同一の優先度を与える。これらの態様に従って、ＬＴＥおよびＷｉ−Ｆｉネットワークはパケットスケジューリングを介してベアラへＱｏＳを提供し続け得る。例えば、これらのスケジューラが異なるＱｏＳクラス間で絶対的により高い優先度を与える場合、関数Ｆ（Ｓ）は、これらのスケジューラを有するシステム有用性をアラインする（align）ように変更され得る。これは、ベクトルの各成分が式（１）のように計算されるが、ベアラについては特定のＱｏＳで計算されるベクトル値をとるようにＦ（Ｓ）を定義することによって行われることができる。Ｆ（Ｓ）の比較はそれから、上述されたスケジューラによって使用される優先順序に従い得る。
【００６７】
[0075]  本開示のある複数の態様に従って、Ｘ＿ｋは切り替え間隔よりも大きい時定数（time constant）を用いて瞬時スループット（instantaneous throughput）の無限インパルス応答（ＩＩＲ）のフィルタされた値であり得る。ＬＴＥとＷｉ−Ｆｉの両方のために、これはｅＮＢおよび／またはＡＰにおいて測定され得る。これらの態様に関し、式（１）の解のための２つの主な動作が存在し得る：
【表２】
2019083533.tif 000005
【００６８】
[0076]  Δ（Ｘ＿ｋ）の推定は、ｅＮＢまたは他の基地局によって実行され得る多くの推定方法のいずれかによって達成され得る。
【００６９】
[0077]  式（１）における和を最大化する最適なポイントＳは、ｅＮＢまたは他の基地局によって実行され得る多くの最大化する方法のいずれかによって決定され得る。アルゴリズムが拡張された時間期間にわたりローカル最適基準（local optimum）においてスタックする（being stuck）ことを防ぐために、最良の最適なポイントが常には選択されないように、確率的な（probabilistic)コンポーネントが最適化ステップに加えられることができる。
【００７０】
[0078]  図７は、ワイヤレスノードにおけるＲＡＴｓ間のデータベアラを切り替えるための典型的な動作７００を説明する。動作７００は、例えば、ＢＳ（例えば、ｅＮｏｄｅＢまたは他のタイプの基地局／アクセスポイント）によって実行され得る。
【００７１】
[0079]  動作７００は、７０２において開始し、そこにおいてＢＳは１つまたは複数のデータベアラを介してユーザ機器（ＵＥ）とのデータ接続を確立する。７０４において、ＢＳは、第１の無線アクセス技術（ＲＡＴ）または第２のＲＡＴを介してＵＥから各データベアラのためのアップリンクトラヒックをルーティングするかどうかの第１の決定を行う。７０６において、ＢＳは、第１のＲＡＴまたは第２のＲＡＴを介してＵＥへ各データベアラのためのダウンリンクトラヒックをルーティングするかどうかの第２の決定を行う。７０７において、ＢＳは、オプションとして第１および第２の決定のうちの少なくとも１つを示す無線リソース制御（ＲＲＣ）メッセージを提供し得る。７０８において、ＢＳは、第１および第２の決定に基づいてデータ接続に参加する。７１０において、ＢＳは、オプションとして第１または第２のＲＡＴを介してすべてのデータベアラのアップリンクトラヒックを送り得る。７１２において、ＢＳは、オプションとして第１および第２のＲＡＴを介してすべてのデータベアラのダウンリンクトラヒックを送り得る。
【００７２】
[0080]  本開示のある複数の態様に従って、第１の決定は、第１のＲＡＴを介してすべてのデータベアラのアップリンクトラヒックを送るという決定を備え得る。
【００７３】
[0081]  本開示のある複数の態様に従って、第２の決定は、第１のＲＡＴおよび第２のＲＡＴの両方を介して１つまたは複数のデータベアラのダウンリンクトラヒックを送るという決定を備え得る。
【００７４】
[0082]  本開示の複数の態様において、第１のＲＡＴはワイヤレス広域ネットワーク（ＷＷＡＮ）を備えることがあり得、第２のＲＡＴはワイヤレスローカルエリアネットワーク（ＷＬＡＮ）を備えることがあり得る。
【００７５】
[0083]  本開示のある複数の態様に従って、第１または第２の決定のうちの少なくとも１つは、アップリンクまたはダウンリンクトラヒックのうちの少なくとも１つが、特定のＲＡＴへルーティングされるべきであることを指定する予め定められた構成に基づき得る。
【００７６】
[0084]  本開示のある複数の態様に従って、第１または第２の決定のうちの少なくとも１つは、第１のＲＡＴまたは第２のＲＡＴを介してルーティングされる１つまたは複数のデータベアラの予期されたパフォーマンスを備えるシステム有用性関数の最適化に基づき得る。本開示のある複数の態様に従って、システム有用性関数は、データベアラのアップリンクおよびダウンリンクトラヒックの両方を考慮し得る。本開示のある複数の態様に従って、システム有用性関数は、各ＲＡＴに対するデータベアラの現在の割振り、第１のＲＡＴおよび第２のＲＡＴ上のチャネルおよびトラヒック状態、各ＲＡＴ上のリソース利用性とチャネルロード、のうちの少なくとも１つを考慮し得る。本開示のある複数の態様に従って、システム有用性関数は、比例フェアネス関数を備え得る。
【００７７】
[0085]  本開示のある複数の態様に従って、第１および第２の決定が定期的に行われ得る。
【００７８】
[0086]  本開示のある複数の態様に従って、１つのＲＡＴから別のＲＡＴへのダウンリンクおよびアップリンクトラヒックのルーティングは、定期的な決定を待つことなく１つのＲＡＴのチャネル状態の悪化（a deterioration）に基づいて切り替えられ得る。
【００７９】
[0087]  本開示のある複数の態様に従って、データベアラのアップリンクまたはダウンリンクトラヒックのルーティングを切り替えた後ある時間の第１の遅延がルーティングを再び切り替える前にインプリメントされ得る。
【００８０】
[0088]  本開示のある複数の態様に従って、ある時間期間の間、データベアラのアップリンクまたはダウンリンクトラヒックのルーティングが切り替えられ得る回数が、制限され得る。
【００８１】
[0089]  図８は、本開示のある複数の態様に従って、無線アクセス技術（ＲＡＴｓ）間のベアラを切り替えるための典型的な動作８００を説明する。動作８００は、例えば、ＵＥによって実行され得る。
【００８２】
[0090]  動作８００は８０２において開始し、ここにおいてＵＥは、オプションでチャネル状態報告を送り得る。８０４において、ＵＥは、１つまたは複数のデータベアラが第１の無線アクセス技術（ＲＡＴ）および第２のＲＡＴを介して送られるべきであることを示す構成を受信し、ここにおいて、データベアラのためのアップリンクおよびダウンリンクトラヒックは、第１のＲＡＴと第２のＲＡＴを介してルーティングするために独立して構成される。８０６において、ＵＥは、受信された構成に応答して構成完了メッセージを送る。８０８において、ＵＥは、オプションで第１のＲＡＴを介してベアラのためのアップリンクトラヒックを送り得る。８１０において、ＵＥは、オプションで第１のＲＡＴおよび第２のＲＡＴを介してベアラのためのダウンリンクトラヒックを受信し得る。
【００８３】
[0091]  本開示の複数の態様に従って、ＵＥはＲＲＣメッセージにおける構成を受信し得る。例えば、ｅＮｏｄｅＢは、ＬＴＥを介してｅＮｏｄｅＢへすべてのデータベアラのためのＵＬトラヒックを送るためにサーブされるＵＥを構成しているＲＲＣメッセージを送り、ＬＴＥを介して電話呼のためのＤＬトラヒックを受信し、Ｗｉ−Ｆｉを介してウェブ閲覧のためのＤＬトラヒックを受信し得る。
【００８４】
[0092]  前述された方法のさまざまな動作は、対応する機能を実行することができる任意の適切な手段によって実行され得る。手段は、回路、特定用途向け集積回路（ＡＳＩＣ）、またはプロセッサを含むがそれらに限定されるわけではない、様々なハードウェアおよび／またはソフトウェアコンポーネント（複数）および／またはモジュール（複数）を含み得る。一般的に、動作が図中に示されている場合、それらの動作は、同様の参照番号を付した、対応する同等の（counterpart）ミーンズ・プラス・ファンクション・コンポーネントを有し得る。
【００８５】
[0093]  ここにおいて使用される場合、「決定すること（determining）」という用語は、幅広い動作を含む。例えば、「決定すること」は、計算すること（calculating）、コンピュータ処理すること（computing）、処理すること（processing）、導出すること（deriving）、調査すること（investigating）、ルックアップすること（looking up）（例えば、テーブル、データベース、または別のデータ構造内をルックアップすること）、確認すること（ascertaining）、等を含み得る。また、「決定すること」は、受信すること（例えば、情報を受信すること）、アクセスすること（例えば、メモリ内のデータにアクセスすること）、等を含み得る。また、「決定すること」は、解決すること（resolving）、選択すること（selecting）、選ぶこと（choosing）、確立すること（establishing）、等を含み得る。
【００８６】
[0094]  ここにおいて使用される場合、項目のリスト「のうちの少なくとも１つ」というフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図する。
【００８７】
[0095]  上述された方法のさまざまな動作は、それらの動作を実行することができる任意の適切な手段、例えば、さまざまなハードウェアおよび／またはソフトウェアコンポーネント（複数）、回路、および／またはモジュール（複数）によって実行され得る。一般的に、図面に示した任意の動作は、それらの動作を実行することができる対応する機能的手段によって実行され得る。
【００８８】
[0096]  本開示に関連して説明された、さまざまな例示的な論理ブロック、モジュール、および回路は、本明細書において説明された機能を実行するように設計された、汎用プロセッサ、デジタル信号プロセッサ（ＤＳＰ）、特定用途向け集積回路（ＡＳＩＣ）、フィールド・プログラマブル・ゲート・アレイ信号（ＦＰＧＡ）または他のプログラマブル論理デバイス（ＰＬＤ）、離散ゲートまたはトランジスタ論理、離散ハードウェア・コンポーネント、またはそれらの任意の組み合わせを用いて、インプリメントまたは実行され得る。汎用プロセッサは、マイクロプロセッサでありうるが、代替において、プロセッサは、任意の市販のプロセッサ、コントローラ、マイクロコントローラ、またはステートマシンであり得る。プロセッサはまた、コンピューティングデバイスの組み合わせとして、例えば、ＤＳＰとマイクロプロセッサの組み合わせ、複数のマイクロプロセッサ、ＤＳＰコアを備えた１つまたは複数のマイクロプロセッサ、あるいは、このような構成の他の何らかのものとしてインプリメントされ得る。
【００８９】
[0097]  本開示に関連して説明された方法またはアルゴリズムのステップは、ハードウェアで、プロセッサによって実行されるソフトウェアモジュールで、または両者の組み合わせで、直接的に具現化され得る。ソフトウェアモジュールは、当該技術で知られている任意の形態の記憶媒体中に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令または多数の命令を備えることがあり得、いくつかの異なるコードセグメントにわたって、異なるプログラム間で、および複数の記憶媒体にわたって、分散されることがあり得る。記憶媒体は、プロセッサが記憶媒体から情報を読み取り、記憶媒体に情報を書き込むことができるように、プロセッサに結合され得る。あるいは、記憶媒体は、プロセッサに組み込まれ得る。
【００９０】
[0098]  ここに開示された方法は、説明された方法を達成するための１つまたは複数のステップまたは動作を備える。方法のステップおよび／または動作は、本願の特許請求の範囲から逸脱せずに、互いに置き換えられ得る。言い換えると、ステップまたは動作の特定の順序が指定されない限り、特定のステップおよび／または動作の順序および／または使用は、本願の特許請求の範囲から逸脱せずに変更され得る。
【００９１】
[0099]  説明された機能は、ハードウェア、ソフトウェア、ファームウェア、またはそれらの任意の組み合わせにおいてインプリメントされ得る。ソフトウェアにおいてインプリメントされる場合、機能は、１つまたは複数の命令として、コンピュータ可読媒体上に記憶され得る。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶装置、または、命令またはデータ構造の形態で所望のプログラムコードを搬送または記憶するために使用されることができ、およびコンピュータによってアクセスされることができる、任意の他の媒体を含むことができる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（Ｂｌｕ−ｒａｙ（登録商標））ディスク（disc）を含み、ディスク（disk）は通常、磁気的にデータを再生するが、ディスク（disc）は、レーザーを用いて光学的にデータを再生する。
【００９２】
[0100]  したがって、ある複数の態様は、ここで提示された動作を実行するためのコンピュータプログラム製品を備え得る。例えば、こういったコンピュータプログラム製品は、そこに格納された（および／またはエンコードされた）命令を有するコンピュータ可読媒体を備えることがあり得、その命令は、ここに説明された動作を実行するために１つまたは複数のプロセッサによって実行可能である。ある複数の態様のために、コンピュータプログラム製品は、パッケージ材料を含み得る。
【００９３】
[0101]  ソフトウェアまたは命令はまた、送信媒体を介して送信され得る。例えば、ソフトウェアが、同軸ケーブル、光ファイバケーブル、ツイストペア、デジタル加入者線（ＤＳＬ）、または赤外線、無線、マイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、送信媒体の定義に含まれる。
【００９４】
[0102]  さらに、ここに説明された方法および技法を実行するためのモジュールおよび／または他の適切な手段が、ダウンロードされることができること、および／または、そうでなければ、ユーザ端末および／または基地局によって、適用可能に得られることが理解されるべきである。例えば、そのようなデバイスは、ここに説明された方法を実行するための手段の伝送を容易にするために、サーバに結合されることができる。代替的に、ここで説明された様々な方法は、デバイスに記憶手段を結合または提供すると、ユーザ端末および／または基地局が様々な方法を取得できるように、記憶手段（例えば、ＲＡＭ、ＲＯＭ、コンパクトディスク（ＣＤ）またはフロッピーディスクのような物理記憶媒体、等）を介して提供されることができる。さらに、ここに説明された方法および技法をデバイスに提供するための任意の他の適切な技法が利用されることができる。
【００９５】
[0103]  請求項が、前述した厳密な構成およびコンポーネントに限定されないことが理解されるべきである。様々な修正、変更、および変形が、上記に説明された方法および装置の配置、動作および詳細において、特許請求の範囲から逸脱することなく行われ得る。
【００９６】
[0104]  前述の内容が本開示の複数の態様に向けられる一方、本開示の他のおよびさらなる態様は、その基本的な範囲から逸脱することなく考案されることがあり得、その範囲は、次の特許請求の範囲によって決定される。
【図１】
2019083533.tif 000006
【図２】
2019083533.tif 000007
【図３】
2019083533.tif 000008
【図４】
2019083533.tif 000009
【図５】
2019083533.tif 000010
【図６】
2019083533.tif 000011
【図７】
2019083533.tif 000012
【図８】
2019083533.tif 000013
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
第１の基地局（ＢＳ）によるワイヤレス通信のための方法であって、
１つまたは複数のデータベアラを介してユーザ機器（ＵＥ）とのデータ接続を確立することと、
前記第１のＢＳまたは第２のＢＳを介して、前記１つまたは複数のデータベアラのうちの各データベアラのためのアップリンクトラヒックを、期間の間、前記ＵＥからルーティングするという第１の決定を行うことと、
前記第１の決定から独立して、前記第１のＢＳまたは前記第２のＢＳを介して、前記１つまたは複数のデータベアラのうちの各データベアラのためのダウンリンクトラヒックを、前記期間の間、前記ＵＥにルーティングするという第２の決定を行うことと、
前記第１および第２の決定に基づいて前記データ接続に参加することと
を備え、
前記参加することは、
対応する第１の決定に従って各データベアラのためのすべてのアップリンクトラヒックを、前記期間の間、受信することと、
対応する第２の決定に従って各データベアラのためのすべてのダウンリンクトラヒックを、前記期間の間、送信することと、
を備える、方法。
【請求項２】
前記第１のＢＳを介してすべての前記データベアラのアップリンクトラヒックを送ることを決定することをさらに備える、請求項１に記載の方法。
【請求項３】
前記第１のＢＳはワイヤレス広域ネットワーク（ＷＷＡＮ）無線アクセス技術（ＲＡＴ）のＢＳであり、前記第２のＢＳはワイヤレスローカルエリアネットワーク（ＷＬＡＮ）ＲＡＴのＢＳである、請求項２に記載の方法。
【請求項４】
前記第１のＢＳまたは前記第２のＢＳのうちの一方は、ワイヤレス広域ネットワーク（ＷＷＡＮ）無線アクセス技術（ＲＡＴ）のＢＳであり、
前記第１のＢＳまたは前記第２のＢＳのうちの他方は、ワイヤレスローカルエリアネットワーク（ＷＬＡＮ）ＲＡＴのＢＳである、
請求項１に記載の方法。
【請求項５】
前記第１または第２の決定のうちの少なくとも１つは、アップリンクまたはダウンリンクトラヒックのうちの少なくとも１つが、特定の無線アクセス技術（ＲＡＴ）へルーティングされるべきであることを指定する予め定められた構成に基づく、請求項１に記載の方法。
【請求項６】
前記第１または第２の決定のうちの少なくとも１つは、前記第１のＢＳまたは前記第２のＢＳを介してルーティングされる前記１つまたは複数のデータベアラの予期されたパフォーマンスを備えるシステム有用性関数の最適化に基づく、請求項１に記載の方法。
【請求項７】
前記第１または前記第２の決定のうちの少なくとも１つを示す無線リソース制御（ＲＲＣ）メッセージを供給することをさらに備える、請求項１に記載の方法。
【請求項８】
１つまたは複数のデータベアラのためのアップリンクトラヒックが第１の基地局（ＢＳ）または第２のＢＳを介して送られるべきであることおよび前記１つまたは複数のデータベアラのためのダウンリンクトラヒックが前記第１のＢＳまたは前記第２のＢＳを介して送られるべきであることを示す構成を、前記第１のＢＳから受信することと、ここにおいて、前記１つまたは複数のデータベアラの各々のための前記アップリンクおよびダウンリンクトラヒックは、前記第１のＢＳと前記第２のＢＳを介してルーティングするために独立して構成され、
前記受信された構成に応答して、前記第１のＢＳまたは前記第２のＢＳを介して構成完了メッセージを前記第１のＢＳに送ることと
を備える、ワイヤレス通信のための方法。
【請求項９】
前記第１のＢＳを介して前記１つまたは複数のデータベアラのうちの第１のデータベアラのためのアップリンクトラヒックを送ることと、
前記第１のＢＳと前記第２のＢＳを介して前記第１のデータベアラのためのダウンリンクトラヒックを受信することと
をさらに備える、請求項８に記載の方法。
【請求項１０】
前記第１のＢＳは、第１のワイヤレス広域ネットワーク（ＷＷＡＮ）無線アクセス技術（ＲＡＴ）のＢＳである、請求項９に記載の方法。
【請求項１１】
前記第１のＢＳまたは前記第２のＢＳのうちの一方は、ワイヤレス広域ネットワーク（ＷＷＡＮ）無線アクセス技術（ＲＡＴ）のＢＳであり、
前記第１のＢＳまたは前記第２のＢＳのうちの他方は、ワイヤレスローカルエリアネットワーク（ＷＬＡＮ）ＲＡＴのＢＳである、
請求項８に記載の方法。
【請求項１２】
前記受信された構成は、無線リソース制御（ＲＲＣ）メッセージにおいて受信される、請求項８に記載の方法。
【請求項１３】
チャネル状態報告を送ることをさらに備え、ここにおいて、前記受信された構成は、前記チャネル状態報告に基づく、請求項８に記載の方法。
【請求項１４】
１つまたは複数のデータベアラを介してユーザ機器（ＵＥ）とのデータ接続を確立することと、
第１の基地局（ＢＳ）または第２のＢＳを介して、前記１つまたは複数のデータベアラのうちの各データベアラのためのアップリンクトラヒックを、期間の間、前記ＵＥからルーティングするという第１の決定を行うことと、
前記第１の決定から独立して、前記第１のＢＳまたは前記第２のＢＳを介して、前記１つまたは複数のデータベアラのうちの各データベアラのためのダウンリンクトラヒックを、前記期間の間、前記ＵＥにルーティングするという第２の決定を行うことと、
対応する第１の決定に従って各データベアラのためのすべてのアップリンクトラヒックを、前記期間の間、受信することと、
対応する第２の決定に従って各データベアラのためのすべてのダウンリンクトラヒックを、前記期間の間、送信することと、
によって、前記第１および第２の決定に基づいて前記データ接続に参加することと
を行うように構成されたプロセッサと、
前記プロセッサに結合されたメモリと
を備える、ワイヤレス通信のための装置。
【請求項１５】
前記第１の決定は、前記第１のＢＳを介してすべての前記データベアラのアップリンクトラヒックを送るという決定を備える、請求項１４に記載の装置。
【請求項１６】
前記第１のＢＳはワイヤレス広域ネットワーク（ＷＷＡＮ）無線アクセス技術（ＲＡＴ）のＢＳであり、前記第２のＢＳはワイヤレスローカルエリアネットワーク（ＷＬＡＮ）ＲＡＴのＢＳである、請求項１５に記載の装置。
【請求項１７】
前記第１のＢＳまたは前記第２のＢＳのうちの一方は、ワイヤレス広域ネットワーク（ＷＷＡＮ）無線アクセス技術（ＲＡＴ）のＢＳであり、
前記第１のＢＳまたは前記第２のＢＳのうちの他方は、ワイヤレスローカルエリアネットワーク（ＷＬＡＮ）ＲＡＴのＢＳである、
請求項１４に記載の装置。
【請求項１８】
前記第１または第２の決定のうちの少なくとも１つは、アップリンクまたはダウンリンクトラヒックのうちの少なくとも１つが、特定の無線アクセス技術（ＲＡＴ）へルーティングされるべきであることを指定する予め定められた構成に基づく、請求項１４に記載の装置。
【請求項１９】
前記第１または第２の決定のうちの少なくとも１つは、前記第１のＢＳまたは前記第２のＢＳを介してルーティングされる前記１つまたは複数のデータベアラの予期されたパフォーマンスを備えるシステム有用性関数の最適化に基づく、請求項１４に記載の装置。
【請求項２０】
前記プロセッサは、前記第１の決定または前記第２の決定のうちの少なくとも１つを示す無線リソース制御（ＲＲＣ）メッセージを供給するようにさらに構成される、請求項１４に記載の装置。
【請求項２１】
１つまたは複数のデータベアラのためのアップリンクトラヒックが第１の基地局（ＢＳ）または第２のＢＳを介して送られるべきであることおよび前記１つまたは複数のデータベアラのためのダウンリンクトラヒックが前記第１のＢＳまたは前記第２のＢＳを介して送られるべきであることを示す構成を、前記第１のＢＳから受信することと、ここにおいて、前記１つまたは複数のデータベアラの各々のための前記アップリンクおよびダウンリンクトラヒックは、前記第１のＢＳと前記第２のＢＳを介してルーティングするために独立して構成され、
前記受信された構成に応答して、前記第１のＢＳまたは前記第２のＢＳを介して構成完了メッセージを前記第１のＢＳに送ることと
を行うように構成されたプロセッサと、
前記プロセッサに結合されたメモリと
を備える、ワイヤレス通信のための装置。
【請求項２２】
前記プロセッサは、
前記第１のＢＳを介して前記１つまたは複数のデータベアラのうちの第１のデータベアラのためのアップリンクトラヒックを送ることと、
前記第１のＢＳと前記第２のＢＳを介して前記第１のデータベアラのためのダウンリンクトラヒックを受信することと
を行うようにさらに構成される、請求項２１に記載の装置。
【請求項２３】
前記第１のＢＳは、第１のワイヤレス広域ネットワーク（ＷＷＡＮ）無線アクセス技術（ＲＡＴ）のＢＳである、請求項２２に記載の装置。
【請求項２４】
前記第１のＢＳまたは前記第２のＢＳのうちの一方は、ワイヤレス広域ネットワーク（ＷＷＡＮ）無線アクセス技術（ＲＡＴ）のＢＳであり、
前記第１のＢＳまたは前記第２のＢＳのうちの他方は、ワイヤレスローカルエリアネットワーク（ＷＬＡＮ）ＲＡＴのＢＳである、
請求項２１に記載の装置。
【請求項２５】
前記受信された構成は、無線リソース制御（ＲＲＣ）メッセージにおいて受信される、請求項２１に記載の装置。
【請求項２６】
前記プロセッサは、チャネル状態報告を送るようにさらに構成され、ここにおいて、前記受信された構成は、前記チャネル状態報告に基づく、請求項２１に記載の装置。
【請求項２７】
前記第２の決定は、前記第１のＢＳと前記第２のＢＳの両方を介して１つまたは複数のデータベアラのダウンリンクトラヒックを送るという決定を備える、請求項２に記載の方法。
【請求項２８】
前記第２の決定は、前記第１のＢＳと前記第２のＢＳの両方を介して１つまたは複数のデータベアラのダウンリンクトラヒックを送るという決定を備える、請求項１５に記載の装置。
【請求項２９】
前記第１のＢＳは、第１のワイヤレス広域ネットワーク（ＷＷＡＮ）無線アクセス技術（ＲＡＴ）のＢＳであり、前記第２のＢＳは、第２のワイヤレス広域ネットワーク（ＷＷＡＮ）ＲＡＴのＢＳである、請求項２に記載の方法。
【請求項３０】
前記第２のＢＳは、第２のワイヤレス広域ネットワーク（ＷＷＡＮ）ＲＡＴのＢＳである、請求項１０に記載の方法。
【請求項３１】
前記第１のＢＳは、第１のワイヤレス広域ネットワーク（ＷＷＡＮ）無線アクセス技術（ＲＡＴ）のＢＳであり、前記第２のＢＳは、第２のワイヤレス広域ネットワーク（ＷＷＡＮ）ＲＡＴのＢＳである、請求項１５に記載の装置。
【請求項３２】
前記第２のＢＳは、第２のワイヤレス広域ネットワーク（ＷＷＡＮ）ＲＡＴのＢＳである、請求項２３に記載の装置。
【手続補正２】
【補正対象書類名】明細書
【補正対象項目名】００９６
【補正方法】変更
【補正の内容】
【００９６】
[0104]  前述の内容が本開示の複数の態様に向けられる一方、本開示の他のおよびさらなる態様は、その基本的な範囲から逸脱することなく考案されることがあり得、その範囲は、次の特許請求の範囲によって決定される。
以下に、本願出願の当初の特許請求の範囲に記載された発明を付記する。
［Ｃ１］
１つまたは複数のデータベアラを介してユーザ機器（ＵＥ）とのデータ接続を確立することと、
第１の無線アクセス技術（ＲＡＴ）または第２のＲＡＴを介して前記ＵＥから各データベアラのためのアップリンクトラヒックをルーティングするかどうかの第１の決定を行うことと、
前記第１のＲＡＴまたは前記第２のＲＡＴを介して前記ＵＥへ各データベアラのためのダウンリンクトラヒックをルーティングするかどうかの第２の決定を行うことと、
前記第１および第２の決定に基づいて前記データ接続に参加することと
を備える、基地局（ＢＳ）によるワイヤレス通信のための方法。
［Ｃ２］
前記第１の決定は、前記第１のＲＡＴを介してすべてのデータベアラのアップリンクトラヒックを送るという決定を備える、Ｃ１に記載の方法。
［Ｃ３］
前記第２の決定は、前記第１のＲＡＴおよび前記第２のＲＡＴの両方を介して１つまたは複数のデータベアラのダウンリンクトラヒックを送るという決定を備える、Ｃ２に記載の方法。
［Ｃ４］
前記第１のＲＡＴはワイヤレス広域ネットワーク（ＷＷＡＮ）を備え、前記第２のＲＡＴはワイヤレスローカルエリアネットワーク（ＷＬＡＮ）を備える、Ｃ３に記載の方法。
［Ｃ５］
前記第２の決定は、前記第１のＲＡＴおよび前記第２のＲＡＴを介してベアラのためのダウンリンクトラヒックを送るという決定を備える、Ｃ１に記載の方法。
［Ｃ６］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ１に記載の方法。
［Ｃ７］
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、Ｃ１に記載の方法。
［Ｃ８］
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、Ｃ１に記載の方法。
［Ｃ９］
前記第１および第２の決定のうちの少なくとも１つを示す無線リソース制御（ＲＲＣ）メッセージを供給することをさらに備える、Ｃ１に記載の方法。
［Ｃ１０］
１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、前記第１のＲＡＴと前記第２のＲＡＴを介してルーティングするために独立して構成され、
前記受信された構成に応答して構成完了メッセージを送ることと
を備える、ワイヤレス通信のための方法。
［Ｃ１１］
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
をさらに備える、Ｃ１０に記載の方法。
［Ｃ１２］
前記第１のＲＡＴはＷＷＡＮを備える、Ｃ１１に記載の方法。
［Ｃ１３］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ１０に記載の方法。
［Ｃ１４］
前記受信された構成は、無線リソース制御（ＲＲＣ）メッセージにおいて受信される、Ｃ１０に記載の方法。
［Ｃ１５］
チャネル状態報告を送ることをさらに備え、ここにおいて、前記受信された構成は、前記チャネル状態報告に基づく、Ｃ１０に記載の方法。
［Ｃ１６］
１つまたは複数のデータベアラを介してユーザ機器（ＵＥ）とのデータ接続を確立することと、
第１の無線アクセス技術（ＲＡＴ）または第２のＲＡＴを介して前記ＵＥから各データベアラのためのアップリンクトラヒックをルーティングするかどうかの第１の決定を行うことと、
前記第１のＲＡＴまたは前記第２のＲＡＴを介して前記ＵＥへ各データベアラのためのダウンリンクトラヒックをルーティングするかどうかの第２の決定を行うことと、
前記第１および第２の決定に基づいて前記データ接続に参加することと
を行うように構成されたプロセッサと、
前記プロセッサに結合されたメモリと
を備える、ワイヤレス通信のための装置。
［Ｃ１７］
前記第１の決定は、前記第１のＲＡＴを介してすべてのデータベアラのアップリンクトラヒックを送るという決定を備える、Ｃ１６に記載の装置。
［Ｃ１８］
前記第２の決定は、前記第１のＲＡＴおよび前記第２のＲＡＴの両方を介して１つまたは複数のデータベアラのダウンリンクトラヒックを送るという決定を備える、Ｃ１７に記載の装置。
［Ｃ１９］
前記第１のＲＡＴはワイヤレス広域ネットワーク（ＷＷＡＮ）を備え、前記第２のＲＡＴはワイヤレスローカルエリアネットワーク（ＷＬＡＮ）を備える、Ｃ１８に記載の装置。
［Ｃ２０］
前記第２の決定は、前記第１のＲＡＴおよび前記第２のＲＡＴの両方を介してベアラのためのダウンリンクトラヒックを送るという決定を備える、Ｃ１６に記載の装置。
［Ｃ２１］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ１６に記載の装置。
［Ｃ２２］
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、Ｃ１６に記載の装置。
［Ｃ２３］
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、Ｃ１６に記載の装置。
［Ｃ２４］
前記プロセッサは、前記第１および第２の決定のうちの少なくとも１つを示す無線リソース制御（ＲＲＣ）メッセージを供給するようにさらに構成される、Ｃ１６に記載の装置。
［Ｃ２５］
１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、前記第１のＲＡＴと前記第２のＲＡＴを介してルーティングするために独立して構成され、
前記受信された構成に応答して構成完了メッセージを送ることと
を行うように構成されたプロセッサと、
前記プロセッサに結合されたメモリと
を備える、ワイヤレス通信のための装置。
［Ｃ２６］
前記プロセッサは、
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
を行うようにさらに構成される、Ｃ２５に記載の装置。
［Ｃ２７］
前記第１のＲＡＴはＷＷＡＮを備える、Ｃ２６に記載の装置。
［Ｃ２８］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ２５に記載の装置。
［Ｃ２９］
前記受信された構成は、無線リソース制御（ＲＲＣ）メッセージにおいて受信される、Ｃ２５に記載の装置。
［Ｃ３０］
前記プロセッサは、チャネル状態報告を送るようにさらに構成され、ここにおいて、前記受信された構成は、前記チャネル状態報告に基づく、Ｃ２５に記載の装置。
【外国語明細書】
2019083533000001.pdf